(57)【要約】【課題】  情報記録媒体が原本から作成した正式なディスクであるかどうか判別できるようにする。【解決手段】  ディスク１０から例えばＡＴＩＰのディスクアプリケーションコードなどのコード値を所定値として取得し（Ｓ１）、ＨＤＤ６に予め記憶されている所定と一致するかどうか判断する（Ｓ２）。そして、ステップＳ２において肯定結果が得られた場合、ディスク１０から実空き容量と記録空き容量を取得し（Ｓ３、Ｓ４）、ディスク１０の実空き容量と記録空き容量を一致するかどうか判断する（Ｓ５）。ステップＳ５において、肯定結果が得られた場合はディスク１０が原本ディスクであると判断する（Ｓ６）。一方、ステップＳ２及びステップＳ５において否定結果が得られた場合はディスク１０が原本ディスクでないと判断する（Ｓ７）。【選択図】      図５
2006155754.tif 000002
【特許請求の範囲】
【請求項１】
記録済み領域と記録可能領域を有する情報記録媒体に対して当該情報記録媒体の空き容量情報を記録することを特徴とする記録方法。
【請求項２】
請求項１に記載の記録方法において、前記情報記録媒体の記録可能領域にデータを記録する際は、記録完了後に前記情報記録媒体に記録されている前記空き容量情報を更新することを特徴とする記録方法。
【請求項３】
請求項１又は請求項２に記載の記録方法において、前記情報記録媒体の所定領域に前記空き容量情報を記録することを特徴とする記録方法。
【請求項４】
請求項１又は請求項２に記載の記録方法において、前記情報記録媒体に所定ファイルとして前記空き容量情報を記録することを特徴とする記録方法。
【請求項５】
請求項４に記載の記録方法において、前記所定ファイルには、前記空き容量情報と共に、前記ファイルの日時情報を記録することを特徴とする記録方法。
【請求項６】
請求項３乃至請求項５の何れか一項に記載の記録方法において、前記情報を所定の暗号鍵で暗号化してから記録することを特徴とする記録方法。
【請求項７】
記録済み領域と記録可能領域を有する情報記録媒体において、当該情報記録媒体の空き容量情報が記録されていることを特徴とする情報記録媒体。
【請求項８】
請求項７に記載の情報記録媒体において、当該情報記録媒体に記録されている前記空き容量情報が更新可能であることを特徴とする情報記録媒体。
【請求項９】
請求項７又は請求項８に記載の情報記録媒体において、所定領域に前記空き容量情報が記録されていることを特徴とする情報記録媒体。
【請求項１０】
請求項７又は請求項８に記載の情報記録媒体において、所定ファイルに前記空き容量情報が記録されていることを特徴とする情報記録媒体。
【請求項１１】
請求項１０に記載の情報記録媒体において、前記所定ファイルに前記空き容量情報と日時情報が記録されていることを特徴とする情報記録媒体。
【請求項１２】
請求項９乃至請求項１１の何れか一項に記載の情報記録媒体において、記録されている情報が所定の暗号鍵により暗号化されていることを特徴とする情報記録媒体。
【請求項１３】
情報記録媒体が原本の情報記録媒体から作成されたか否かを確認する情報記録媒体の原本性確認方法であって、記録済み領域と記録可能領域を有する情報記録媒体から取得した所定情報と予め記憶されている所定情報、及び前記情報記録媒体に記録されている記録空き容量情報と前記情報記録媒体の実際の空き容量情報を、夫々比較することにより前記情報記録媒体の原本性を確認することを特徴とする原本性確認方法。
【請求項１４】
請求項１３に記載の原本性確認方法において、前記情報記録媒体の所定領域に直接記録されている記録空き容量情報と、前記情報記録媒体の実際の空き容量情報とを比較することを特徴とする原本性確認方法。
【請求項１５】
請求項１３に記載の原本性確認方法において、前記情報記録媒体に所定ファイルとして記録されている記録空き容量情報と、前記情報記録媒体の実際の空き容量情報とを比較することを特徴とする原本性確認方法。
【請求項１６】
請求項１５に記載の原本性確認方法において、前記情報記録媒体の所定ファイル内に記録されている日時情報と、前記所定ファイル自身の日時情報を比較することを特徴とする原本性確認方法。
【請求項１７】
請求項１３乃至請求項１６の何れか一項に記載の原本性確認方法において、前記情報記録媒体に記録されている情報を所定の暗号鍵で復号化してから原本性の確認を行うことを特徴とする原本性確認方法。
【請求項１８】
情報記録媒体が原本の情報記録媒体から作成されたか否かを確認する情報記録媒体の原本性確認装置であって、記録済み領域と記録可能領域を有する情報記録媒体から所要の情報を読み出す読み出し手段と、所要の情報を記録している記憶手段と、前記読み出し手段により読み出した所定情報と前記記憶手段に記憶されている所定情報の比較、及び前記情報記録媒体に記録されている記録空き容量情報と前記情報記録媒体の実際の空き容量情報の比較を行う比較手段と、を備えることを特徴とする原本性確認装置。
【請求項１９】
請求項１８に記載の原本性確認装置において、前記比較手段は、前記情報記録媒体の所定領域に直接記録されている記録空き容量情報と、前記情報記録媒体の実際の空き容量情報とを比較することを特徴とする原本性確認装置。
【請求項２０】
請求項１８に記載の原本性確認装置において、前記比較手段は、前記情報記録媒体に所定ファイルとして記録されている記録空き容量情報と、前記情報記録媒体の実際の空き容量情報とを比較することを特徴とする原本性確認装置。
【請求項２１】
請求項２０に記載の原本性確認装置において、前記比較手段は、前記情報記録媒体の所定ファイル内に記録されている日時情報と、前記所定ファイル自身の日時情報を比較することを特徴とする原本性確認装置。
【請求項２２】
請求項１８乃至請求項２１の何れか一項に記載の原本性確認装置において、前記情報記録媒体に記録されている情報を所定の暗号鍵で復号化する復号化手段を備えることを特徴とする原本性確認装置。
【請求項２３】
請求項１３乃至請求項１７の何れか一項に記載の原本性確認方法を実行することを特徴とするプログラム。
【発明の詳細な説明】
【技術分野】
【０００１】
本発明は、情報記録媒体の記録方法、その記録方法により記録された情報記録媒体、情報記録媒体の原本性確認方法と、その原本性確認装置、及び原本性確認方法を実行するプログラムに関わり、特に情報記録媒体に記録されたデジタル情報を保護するのに好適なものである。
【背景技術】
【０００２】
従来、アプリケーションソフトウェア、静止画、動画などのコンテンツは、ＣＤ−ＲＯＭなどの情報記録媒体（以下、単にディスクという）に記録されて配布（販売）されるのが一般的である。
また、コンパクトディスク（ＣＤ）の分野では、近年、読取専用領域（以下ＲＯＭ部とする）と、書き込み可能領域もしくは書き換え可能領域（以下ＲＡＭ部とする）を有した、所謂ハイブリッドディスクが開発され、ハイブリッドディスクをＣＤ−ＲＯＭなどの代替ディスクとして、そのＲＯＭ部に予めコンテンツを書き込んだ状態で配布（販売）することが提案されている。
ハイブリッドディスクでは、既存のディスクとの互換性を確保するために、１ｓｔセッションをＲＯＭ部としてスタンプし、それ以降の領域をＲＡＭ部として扱うものがある。こうすることにより、ハイブリッドディスクを認識できないシステムにおいても、当該ディスクをマルチセッション記録されたディスクとして取り扱うことが可能となるので、少なくとも読み取り互換性を確保することが可能となる。
なお、先行文献としては特許文献１がある。
【特許文献１】特開平０６−３４９０６４号公報
【発明の開示】
【発明が解決しようとする課題】
【０００３】
しかしながら、上記したようなＣＤ−ＲＯＭやハイブリッドディスクに記録されるデータはデジタル情報であり、複製による劣化が生じないため、本来、ディスクに記録されているデータやアプリケーションプログラム等を不正にＨＤＤや他のディスクにコピーされてしまうという問題があった。
不正コピー又はコピーされたディスクの不正使用を防ぐには、そのディスクが不正コピーされたものでなく、正規に作成されたディスクかどうか判別する必要がある。なお、以下、本明細書では、原本のディスクから正規に作成されたディスクのことを原本ディスクと表記する。
そこで、本発明は上記したような点を鑑みてなされたものであり、その目的はディスクが原本ディスクであるかどうか判別するための記録方法と、その記録方法により記録された情報記録媒体を提供することにある。また前記情報記録媒体の原本性確認方法と原本性確認装置、及びそのような原本性確認方法を実行するプログラムを提供することにある。
【課題を解決するための手段】
【０００４】
上記目的を達成するため、請求項１に記載の発明は、記録済み領域と記録可能領域を有する情報記録媒体に対して当該情報記録媒体の空き容量情報を記録する記録方法を特徴とする。
請求項２に記載の発明は、請求項１に記載の記録方法において、前記情報記録媒体の記録可能領域にデータを記録する際は、記録完了後に前記情報記録媒体に記録されている前記空き容量情報を更新することを特徴とする。
請求項３に記載の発明は、請求項１又は請求項２に記載の記録方法において、前記情報記録媒体の所定領域に前記空き容量情報を記録することを特徴とする。
請求項４に記載の発明は、請求項１又は２に記載の記録方法において、前記所定ファイルには、前記空き容量情報と共に、前記ファイルの日時情報を記録することを特徴とする。
請求項５に記載の発明は、請求項４に記載の記録方法において、前記所定ファイルには、前記空き容量情報と共に、前記ファイルの日時情報を記録することを特徴とする。
請求項６に記載の発明は、請求項３乃至請求項５の何れか一項に記載の記録方法において、前記情報を所定の暗号鍵で暗号化してから記録することを特徴とする。
請求項７に記載の発明は、記録済み領域と記録可能領域を有する情報記録媒体において、当該情報記録媒体の空き容量情報が記録されている記録媒体を特徴とする。
【０００５】
請求項８に記載の発明は、請求項７に記載の情報記録媒体において、当該情報記録媒体に記録されている前記空き容量情報が更新可能であることを特徴とする。
請求項９に記載の発明は、請求項７又は請求項８に記載の情報記録媒体において、所定領域に前記空き容量情報が記録されていることを特徴とする。
請求項１０に記載の発明は、請求項７又は請求項８に記載の情報記録媒体において、所定ファイルに前記空き容量情報が記録されていることを特徴とする。
請求項１１に記載の発明は、請求項１０に記載の情報記録媒体において、前記所定ファイルに前記空き容量情報と日時情報が記録されていることを特徴とする。
請求項１２に記載の発明は、請求項９乃至請求項１１の何れか一項に記載の情報記録媒体において、前記情報が所定の暗号鍵により暗号化されていることを特徴とする。
請求項１３に記載の発明は、情報記録媒体が原本の情報記録媒体から作成されたか否かを確認する情報記録媒体の原本性確認方法であって、記録済み領域と記録可能領域を有する情報記録媒体から取得した所定情報と予め記憶されている所定情報、及び前記情報記録媒体に記録されている記録空き容量情報と前記情報記録媒体の実際の空き容量情報を、夫々比較することにより前記情報記録媒体の原本性を確認する原本性確認方法を特徴とする。
請求項１４に記載の発明は、請求項１３に記載の原本性確認方法において、前記情報記録媒体の所定領域に直接記録されている記録空き容量情報と、前記情報記録媒体の実際の空き容量情報とを比較することを特徴とする。
請求項１５に記載の発明は、請求項１３に記載の原本性確認方法において、前記情報記録媒体に所定ファイルとして記録されている記録空き容量情報と、前記情報記録媒体の実際の空き容量情報とを比較することを特徴とする。
請求項１６に記載の発明は、請求項１５に記載の原本性確認方法において、前記情報記録媒体の所定ファイル内に記録されている日時情報と、前記所定ファイル自身の日時情報を比較することを特徴とする。
【０００６】
請求項１７に記載の発明は、請求項１３乃至請求項１６の何れか一項に記載の原本性確認方法において、前記情報記録媒体に記録されている情報を所定の暗号鍵で復号化してから原本性の確認を行うことを特徴とする。
請求項１８に記載の発明は、情報記録媒体が原本の情報記録媒体から作成されたか否かを確認する情報記録媒体の原本性確認装置であって、記録済み領域と記録可能領域を有する情報記録媒体から所要の情報を読み出す読み出し手段と、所要の情報を記録している記憶手段と、前記読み出し手段により読み出した所定情報と前記記憶手段に記憶されている所定情報の比較、及び前記情報記録媒体に記録されている記録空き容量情報と前記情報記録媒体の実際の空き容量情報の比較を行う比較手段と、を備える原本性確認装置を特徴とする。
請求項１９に記載の発明は、請求項１８に記載の原本性確認装置において、前記比較手段は、前記情報記録媒体の所定領域に直接記録されている記録空き容量情報と、前記情報記録媒体の実際の空き容量情報とを比較することを特徴とする。
請求項２０に記載の発明は、請求項１８に記載の原本性確認装置において、前記比較手段は、前記情報記録媒体に所定ファイルとして記録されている記録空き容量情報と、前記情報記録媒体の実際の空き容量情報とを比較することを特徴とする。
請求項２１に記載の発明は、請求項２０に記載の原本性確認装置において、前記比較手段は、前記情報記録媒体の所定ファイル内に記録されている日時情報と、前記所定ファイル自身の日時情報を比較することを特徴とする。
請求項２２に記載の発明は、請求項１８乃至請求項２１の何れか一項に記載の原本性確認装置において、前記情報記録媒体に記録されている情報を所定の暗号鍵で復号化する復号化手段を備えることを特徴とする。
請求項２３に記載の発明は、請求項１３乃至請求項１７の何れか一項に記載の原本性確認方法を実行するプログラムを特徴とする。
【発明の効果】
【０００７】
請求項１、請求項７、請求項１３、請求項１８に記載の発明によれば、使用される情報記録媒体が原本から作成した情報記録媒体か不正に作成された情報記録媒体であるかを判別することが可能となる。
請求項２、請求項８に記載の発明によれば、追記される情報記録媒体が原本から作成した情報記録媒体か不正に作成された情報記録媒体であるかを判別することが可能となる。
請求項３、請求項９、請求項１４、請求項１９に記載の発明によれば、情報記録媒体に空き容量情報を記録することができるようになる。
請求項４、請求項１０、請求項１５、請求項２０に記載の発明によれば、情報記録媒体に空き容量情報を記録することができるようになる。
請求項５、請求項１１、請求項１６、請求項２１に記載の発明によれば、空き容量情報が記載されたファイルの情報が変更された場合、ファイルの日時情報も変更されるので、これをチェックすることで原本性確認をより厳密に行うことができる。
請求項６、請求項１２、請求項１７、請求項２２に記載の発明によれば、情報記録媒体のデジタル情報が不正に変更される可能性がなくなり原本性確認をより厳密に行うことができる。
また請求項２３に記載の本発明のプログラムによれば、上記したような効果が得られる原本性確認装置を、情報処理装置を利用して容易に実現することができる。
【発明を実施するための最良の形態】
【０００８】
以下、本発明の実施形態について説明する。
図１は、本実施形態に係る原本性確認装置の概略構成を示した図ある。
この図１に示す原本性確認装置は、ディスクドライブ装置２を備えたパーソナルコンピュータ（以下、「ＰＣ」という）１によって構成され、例えばディスクドライブ装置２にＣＤ−ＲＯＭやハイブリッドディスク等の情報記録媒体１０を装填することにより、情報記録媒体１０が原本から作成した原本ディスクかどうか判別することができるようになっている。尚、情報記録媒体１０については後述する。
図２は、上記図１に示した原本性確認装置の構成を示したブロック図である。
この図２に示す原本性確認装置は、ディスクドライブ装置２、ＣＰＵ３、ＲＯＭ４、ＲＡＭ５、ＨＤＤ６、ドライバＩ／Ｆ７などを備えて構成される。
ＣＰＵ（Central Processing Unit）３は、当該原本性確認装置全体の制御処理を司り、例えばＨＤＤ６のハードディスクに記憶されているアプリケーションプログラムを読み出してＲＡＭ５に展開することで、そのアプリケーションプログラムに従った処理などを実行する。
ＲＯＭ（Read Only Memory）４には、例えば、ディスクドライブ装置２などの周辺機器を制御するプログラム群（ＢＩＯＳ）が格納されている。
ＲＡＭ（Random Access Memory）５は、ＣＰＵ３が各種処理を実行するのに必要なデータやプログラム等を適宜保持する。
ハードディスクドライブ（ＨＤＤ）６は、記憶媒体としてハードディスクを備えており、各種データやアプリケーションプログラムが格納されている。そして、本実施の形態では、このＨＤＤ６にディスクドライブ装置２に装填したディスクが原本ディスクから作成されたディスクか否かを確認する原本性確認のためのプログラムが格納されている。
またＨＤＤ６には原本ディスクの所定情報、例えばＡＴＩＰ（Absolute Time In Pre-groove）のディスクアプリケーションコード（Disc Application Code）のコード値なども格納されている。
ドライバＩ／Ｆ７にはディスクドライブ装置２が接続されている。ディスクドライブ装置２はＲＯＭ２ａを内蔵している。ＲＯＭ２ａはドライブ自身の制御を行うためのプログラム、即ちファームウェア（FirmWare）が格納されている。また場合によっては、ＲＯＭ２ａに上記したような情報記録媒体１０の原本性確認のためのプログラムや所定情報を格納しておき、装填されたディスクの原本性を確認することも可能である。なお、上記したＣＰＵ３、ＲＯＭ４、ＲＡＭ５、ＨＤＤ６、ドライバＩ／Ｆ７は内部バス８により接続されている。
【０００９】
図３は情報記録媒体の一例を示した図である。なお、本実施形態では情報記録媒体としてハイブリッドディスクを例に挙げて説明する。
この図３に示すハイブリッドディスク（以下、単に「ディスク」と表記する）１０は、予めアプリケーションソフトウェアやデータがスタンプされた読み取り専用領域（以下、「ＲＯＭ部」という）１１と、書き込み可能領域（以下、「ＲＡＭ部」という）１２を有する。またディスク１０には、当該ディスク上にディスク１０であることを示す情報がスタンプされて形成されている。この情報の例としては、上記したＡＴＩＰのディスクアプリケーションコードの他に、原本ディスクのＴＯＣに記録されているTrack/Lead Outの開始アドレス（ＭＳＦ）から計算したＭＳＦ値や、セクタ単位の値、ＫＢ単位の値などが考えられる。なお、本実施の形態では所定情報をＡＴＩＰのディスクアプリケーションコードであるものとして説明する。
そして、このような本実施形態の原本性確認装置においては、ディスク１０にディスクの空き容量情報を記録するようにした。即ち、記録済み領域と記録可能領域を有するディスク１０に対して空き容量情報を記録するようにした。そして、このディスク１０に記録されている空き容量情報（以下、「記録空き容量情報」という）と、ディスク１０の実際の空き容量情報（以下、「実空き容量情報」という）とを比較すると共に、ディスク１０の所定情報と原本性確認装置のＨＤＤ６などに予め記憶されている所定情報とを比較することにより、ディスク１０が原本ディスクかどうか判断するようにしている。なお、所定情報の比較処理は、上記したディスク１０の記録空き容量と実空き容量の比較処理を実行するプログラムに含めて実行しても良い。また別途アプリケーションプログラムを作成して比較を行っても良い。さらに、そのような比較処理をディスクドライブ装置２のＲＯＭ２ａに組み込むようにしても良い。
ディスク１０の実空き容量情報は、ディスクドライブ装置２に所定のコマンドを発行することで取得することができる。所定のコマンドとしては、リードトック（Read Toc）コマンド、リードトラックインフォメーション（Read Track Information）コマンド等が考えられる。
一方、ディスク１０の記録空き容量情報は、ディスク１０に記録したデータの容量から算出するようにしている。このような記録空き容量情報は、所定ファイルとしてディスク１０に記録したり、或いはディスク１０の所定位置に直接データ形式で記録したりすることが考えられる。所定ファイルとしてディスク１０に記録した場合、ディスクドライブ装置２によりファイルを読み出す処理を行うことで取得することができる。
また、ディスク１０に直接データを記録した場合は、ディスクドライブ装置２に対して直接リードコマンドを発行することにより取得することができる。
ここで、図４を用いてディスクに空き容量情報の記録する場合について説明する。
【００１０】
図４はディスク構造の一例を示した図であり、図４（ａ）にはＣＤの物理フォーマットの一例が、図４（ｂ）にはプログラムエリアのセクタ構造の一例がそれぞれ示されている。この図４（ａ）に示すようにリードインエリア（Lead-In Area）２１、プログラムエリア（Program Area）２２、リードアウトエリア（Lead-Out Area）２３から構成される。そして、上記のようにディスクの空き容量情報をディスクに直接データとして記録する場合は、例えば図４（ａ）に示すプログラムエリア２２の最終セクタに記録する。セクタの構造は、図４（ｂ）のように示され、このセクタのデータ領域２４に空き容量情報を記録するようにしている。なお、ディスク１０がハイブリッドＣＤの場合、所定値はＣＤの容量未満の値となる。例えば６５０ＭＢより小さい値になる。
このように本実施形態の原本性確認装置は、記録済み領域と記録可能領域を有するディスク１０から得られる所定情報と、ＨＤＤ６などに予め記憶されている所定情報を比較すると共に、ディスク１０の記録空き容量と実空き容量を比較することにより、ディスクドライブ装置２に装填されたディスクが原本ディスクであるかどうかの原本性を確認するようにしている。従って、例えばディスク１０の記録空き容量と実空き容量の比較だけで、ディスク１０の原本性の確認をする場合より確実に原本ディスクであるかどうか判別することができるようになる。
例えば、不正コピーのディスクであるにも関わらず、ディスクの空き容量が同じディスクが存在した場合でも原本ディスクでないと判別することができる。
また、不正コピーのディスクであるにも関わらず、ディスクに空き容量情報が記録されているディスクが存在した場合でも、空き容量情報が異なればディスク１０が原本ディスクでないと判別することができる。つまり、原本ディスクを不正にコピーした時に空き容量の記録セクタの位置ずれなどが生じた場合、これを排除することができる。
【００１１】
図５は、上記した原本性確認装置における比較処理を示したフローチャートである。
なお、以下に説明する処理は図２に示したＣＰＵ３がＨＤＤ６又はディスクドライブ装置２のＲＯＭ２ａに格納されているプログラムを実行することにより実現されるものである。
この場合、先ずディスク１０から所定情報として、例えばＡＴＩＰのディスクアプリケーションコードなどのコード値を所定値として取得し（Ｓ１）、例えばＨＤＤ６に予め記憶されている所定値と一致するかどうか判断する（Ｓ２）。ステップＳ２において肯定結果が得られた場合、ディスク１０の実空き容量と記録空き容量を取得し（Ｓ３、Ｓ４）、取得したディスク１０の実空き容量と記録空き容量を一致するかどうか判断する（Ｓ５）。ステップＳ５において、肯定結果が得られた場合はディスク１０が原本ディスクであると判断すればよい（Ｓ６）。一方、ステップＳ２及びステップＳ５において否定結果が得られた場合はディスク１０が原本ディスクでないと判断すればよい（Ｓ７）。なお、図５においては所定値についての比較を行った後、ディスク１０の空き容量の比較を行うようにしているが、これはあくまでも一例であり、空き容量の比較を行った後に所定値の比較を行っても良いことは言うまでもない。
【００１２】
ところで、上記したような記録可能領域を有するディスク１０の場合、ディスク１０の記録可能領域に新たにデータを記録すると、それに伴いディスクの空き容量が変化（減少）する。この結果、ディスク１０の実空き容量と、ディスク１０の記録空き容量とが異なってしまうため、原本ディスクであるかどうかの判別を行うことができなくなる。
そこで、本実施形態においては、ディスク１０に記録した記録空き容量情報は更新できるようにしている。これにより、ディスク１０の記録可能領域にデータを記録した際には、その記録完了後にディスク１０に記録した記録空き容量を更新することで、ディスク１０に記録された記録空き情報とディスク１０の実空き容量の一致させるようにして、原本ディスクが記録可能領域を有するディスクであっても、原本ディスクであるかどうかの判別を行うことができる。
また本実施形態では、ディスク１０に空き容量情報をファイルとして記録する場合は、ファイルに空き容量情報だけでなく日時情報も同時に記録できるようにしておき、本実施形態の原本性確認装置においてディスクが原本ディスクかどうかの判別を行う場合は、空き情報と日時情報により原本性の確認を行うことも可能である。この場合も確実にディスクが原本ディスクかどうか判別することができる。
なお、ファイルの日時情報は以下の２種類の取り扱いが考えられる。
先ず、ファイルに更新前の日時情報を保持しておき、ファイル内のデータ更新（空き容量情報の更新）する場合はファイルの日時情報を更新前のものに変更することが考えられる。またファイル内のデータ更新（空き容量情報の更新）する場合は、ファイルの日時情報を取得して取得した日時情報によりファイル内の日時情報を更新し、ファイル自身の日時情報を取得した日時情報により更新することが考えられる。
但し、いずれの場合においても、ファイル中に記録した日時情報とファイル自身の日時情報が一致している必要があることは言うまでもない。
【００１３】
図６は、上記日時情報を有する場合の原本性確認装置の処理を示したフローチャートである。なお、以下に説明する処理もＣＰＵ３がＨＤＤ６又はディスクドライブ装置２のＲＯＭ２ａに格納されているプログラムを実行することにより実現されるものである。
この場合も、先ずディスク１０から所定情報として、例えばＡＴＩＰのディスクアプリケーションコードなどのコード値を所定値として取得し（Ｓ１１）、ＨＤＤ６に予め記憶されている所定値と一致するかどうか判断する（Ｓ１２）。ステップＳ１２において肯定結果が得られた場合、ディスク１０から実空き容量と記録空き容量を取得し（Ｓ１３、Ｓ１４）、それらが一致するかどうか判断する（Ｓ１５）。ステップＳ１５において肯定結果が得られた場合、次に、ファイル内に記録されている日時情報と、ファイル自身の日時情報を取得し（Ｓ１６、Ｓ１７）、両日時情報が一致するかどうか判断する（Ｓ１８）。そして、ステップＳ１８において肯定結果が得られた場合、ディスク１０が原本ディスクであると判断する（Ｓ１９）。
一方、ステップＳ１２、ステップＳ１５、及びステップＳ１８において否定結果が得られた場合はディスク１０が原本ディスクでないと判断する（Ｓ２０）。なお、図６においても所定値についての比較を行った後、空き容量の比較を行うようにしているが、これはあくまでも一例であり、空き容量の比較を行った後に所定値の比較を行うようにしても良いことは言うまでもない。
またディスク１０にデータを記録する際は、記録すべきデータを所定の暗号鍵で暗号化してから記録する。
そして、本実施形態の原本性確認装置によりディスク１０が原本ディスクかどうかの判別を行う場合は、ディスク１０に記録されているデータを所定暗号鍵で復号化した後、実空き容量と記録空き容量の比較や所定情報の比較を行うようにすれば、より確実にディスクが原本ディスクかどうか判別することができるようになる。この場合は復号化に使う暗号鍵の妥当性を確認しても良いし、妥当性を確認せず直接所定の暗号鍵で復号化を行い、そこで得られた値を用いて原本性の確認を行うようにしてもよい。また所定の暗号鍵は、使用者によって入力されるものであっても良いし、ディスク上の所定の位置に記録してあっても良い。
なお、本実施の形態では、原本ディスクかどうかの判別することができるディスク（情報記録媒体）と、その記録方法、原本性確認装置の構成、原本性確認方法、及びプログラムによる具体的な処理手順について説明したが、これはあくまでも一例であり、上記例に限定されるものではない。
【図面の簡単な説明】
【００１４】
【図１】本発明の実施形態に係る原本性確認装置の概略構成を示した図。
【図２】本実施形態に係る原本性確認装置の構成を示したブロック図。
【図３】情報記録媒体の説明図。
【図４】ディスクの構造を説明する説明図。
【図５】本実施形態の原本性確認装置の処理を示したフローチャート。
【図６】本実施形態の原本性確認装置の処理を示したフローチャート。
【符号の説明】
【００１５】
１  原本性確認装置、２  ディスクドライブ装置、３  ＣＰＵ、４  ＲＯＭ、５  ＲＡＭ、６  ＨＤＤ、７  バス、１０  ハイブリッドディスク
【図１】
2006155754.tif 000003
【図２】
2006155754.tif 000004
【図３】
2006155754.tif 000005
【図４】
2006155754.tif 000006
【図５】
2006155754.tif 000007
【図６】
2006155754.tif 000008